(57)【要約】【課題】受信者が、より迅速に通話を行うことが可能な電話装置を提供すること。【解決手段】電話装置が、親機（１０）と、複数の子機（１,２）とを備え、さらに、予め定められた条件の外線電話からの信号を受けると、親機（１０）および複数の子機（１,２）が、それら親機（１０）および複数の子機（１,２）の夫々がスピーカーホンを利用した外線通話が可能になる音声経路でつながるように親機（１０）および複数の子機（１,２）を制御する音声経路制御手段を備えるようにする。【選択図】図５
2014064118.tif 000002
【特許請求の範囲】
【請求項１】
親機と、
複数の子機と、
予め定められた条件の外線電話からの信号を受けると、上記親機および上記複数の子機が、それら親機および複数の子機の夫々がスピーカーホンを利用した外線通話が可能になる音声経路でつながるように上記親機および上記複数の子機を制御する第１制御を行う音声経路制御手段と
を備えることを特徴とする電話装置。
【請求項２】
請求項１に記載の電話装置において、
上記音声経路制御手段は、上記第１制御において、親機および全ての子機で構築可能な全ての二つの対の間のスピーカーホンの音声経路を構築するように、上記親機および上記複数の子機を制御することを特徴とする電話装置。
【請求項３】
請求項１または２に記載の電話装置において、
上記予め定められた条件の外線電話は、ユーザーが予め登録した電話番号の外線電話であることを特徴とする電話装置。
【請求項４】
請求項１から３までのいずれか一項に記載の電話装置において、
上記予め定められた条件の外線電話がかかってきたときに、上記親機および上記全ての子機に呼出音を鳴動させるか否かを選択できると共に、呼出音を鳴動させる場合には、呼出音の鳴動回数も設定できる鳴動選択手段を備え、
上記鳴動選択手段を介して呼出音の鳴動回数が設定された場合、上記鳴動回数の呼出音が鳴動した後、上記音声経路制御手段が、上記第１制御を行うことを特徴とする電話装置。
【請求項５】
請求項１から４までのいずれか一項に記載の電話装置において、
上記親機および上記複数の子機の夫々は、音声を検出する音声検出手段を備え、
上記音声経路制御手段が、上記第１制御を行った後、上記親機および上記複数の子機のうちのいずれか一つの機で、音声の検出があった場合には、上記音声経路制御手段が、その音声の検出があった機の外線経路の音声経路のみがつながった状態になるように上記親機および上記複数の子機を制御する第２制御を行うことを特徴とする電話装置。
【請求項６】
請求項１から５までのいずれか一項に記載の電話装置において、
上記親機および上記複数の子機の夫々は、音声を認識する音声認識手段を備え、
上記音声経路制御手段が上記第１制御を行った後、上記親機および上記複数の子機のうちの一つの機の音声認識手段が、第１の予め定められた音声の認識をした場合、上記音声経路制御手段がその音声の認識をした機の外線経路の音声経路のみがつながった状態になるように上記親機および上記複数の子機を制御する第３制御を行うことを特徴とする電話装置。
【請求項７】
請求項１から６までのいずれか一項に記載の電話装置において、
上記音声経路制御手段が、上記第１制御を行った後、上記親機および上記複数の子機のうちの一つの機が応答をした場合、上記音声経路制御手段がその応答をした機の外線経路の音声経路のみがつながった状態になるように上記親機および上記複数の子機を制御する第４制御を行うことを特徴とする電話装置。
【請求項８】
請求項１から７までのいずれか一項に記載の電話装置において、
上記親機および複数の子機の夫々は、外線を切断するための外線切断手段を有し、
上記音声経路制御手段が、上記第１制御を行った後、一以上の機で上記外線切断手段が操作されると、上記音声経路制御手段は、その外線切断手段が操作された一以上の機の外線経路の音声経路が切断されるように上記親機および上記複数の子機を制御する第５制御を行うことを特徴とする電話装置。
【請求項９】
請求項６に記載の電話装置において、
上記音声経路制御手段が上記第１制御を行った後、上記親機および複数の子機のうちの一以上の機が第２の予め定められた音声を認識すると、上記音声経路制御手段が、上記第２の予め定められた音声を認識した上記一以上の機の外線経路の音声経路が切断されるように上記親機および上記複数の子機を制御する第６制御を行うことを特徴とする電話装置。
【請求項１０】
請求項１から９までのいずれか一項に記載の電話装置において、
上記親機および上記複数の子機の夫々は、上記音声経路制御手段が上記第１制御を行った後の通話を録音可能な録音手段を有していることを特徴とする電話装置。
【請求項１１】
請求項１０に記載の電話装置において、
上記親機および上記複数の子機の夫々は、上記録音手段での録音の有無を選択可能な選択手段を有していることを特徴とする電話装置。
【発明の詳細な説明】
【技術分野】
【０００１】
本発明は、親機と、複数の子機とを備える電話装置に関する。
【背景技術】
【０００２】
従来、電話装置としては、特開２０００−２０９３０７号公報（特許文献１）に記載されているものがある。この電話装置は、親機と、複数の子機とを備え、親機と、各子機とは、無線を通じて接続可能になっている。この電話装置は、呼び出し時に所定レベル以上の外部音声を検出した子機を、迅速かつ確実に通話状態に切り替えるようになっている。
【０００３】
しかしながら、上記従来の電話装置では、特定の子機が外部音声を検出した後、その特定の子機が通話可能状態になるのに所定の時間が必要になるから、外部音声を発して通話を意図した受信者が、通話を迅速に行えないという問題がある。
【先行技術文献】
【特許文献】
【０００４】
【特許文献１】２０００−２０９３０７号公報
【発明の概要】
【発明が解決しようとする課題】
【０００５】
そこで、本発明の課題は、受信者が、より迅速に通話を行うことが可能な電話装置を提供することにある。
【課題を解決するための手段】
【０００６】
上記課題を解決するため、この発明の電話装置は、
親機と、
複数の子機と、
予め定められた条件の外線電話からの信号を受けると、上記親機および上記複数の子機が、それら親機および複数の子機の夫々がスピーカーホンを利用した外線通話が可能になる音声経路でつながるように上記親機および上記複数の子機を制御する第１制御を行う音声経路制御手段と
を備えることを特徴としている。
【０００７】
本発明によれば、音声経路制御手段が、予め定められた条件の外線電話からの信号を受けると、上記親機および上記複数の子機が、それら親機および複数の子機の夫々がスピーカーホンを利用した外線通話が可能になる音声経路でつながるように親機および複数の子機を制御する第１制御を行う。したがって、外線電話の受け手が、応答を意図してから、外線通話の音声経路が通話可能状態になる電話装置と比較して、受信者が、より迅速に通話を行うことが可能になる。
【０００８】
また、一実施形態では、
上記音声経路制御手段は、上記第１制御において、親機および全ての子機で構築可能な全ての二つの対の間のスピーカーホンの音声経路を構築するように、上記親機および上記複数の子機を制御する。
【０００９】
上記実施形態によれば、音声経路手段が、上記第１制御において、親機および全ての子機で構築可能な全ての二つの対の間のスピーカーホンの音声経路を構築するように、親機および複数の子機を制御するから、外線から内線への移行を迅速に行うことができる。
【００１０】
また、一実施形態では、
上記予め定められた条件の外線電話は、ユーザーが予め登録した電話番号の外線電話である。
【００１１】
上記実施形態によれば、特定の相手の外線電話について通話を迅速に行うことができる。
【００１２】
また、一実施形態では、
上記予め定められた条件の外線電話がかかってきたときに、上記親機および上記全ての子機に呼出音を鳴動させるか否かを選択できると共に、呼出音を鳴動させる場合には、呼出音の鳴動回数も設定できる鳴動選択手段を備え、
上記鳴動選択手段を介して呼出音の鳴動回数が設定された場合、上記鳴動回数の呼出音が鳴動した後、上記音声経路制御手段が、上記第１制御を行う。
【００１３】
上記実施形態によれば、鳴動選択手段で、呼出音を鳴動させるか否かを選択できるから、受けてのユーザーに外線電話がかかっていることを容易に知らせることができる。また、鳴動選択手段で呼出音の鳴動回数が可能であるから、受けての情報（例えば、身体情報や受け手の性格の情報等）に基づいて、適宜、適切な回数の呼出音が鳴るようにすることができる。
【００１４】
また、一実施形態では、
上記親機および上記複数の子機の夫々は、音声を検出する音声検出手段を備え、
上記音声経路制御手段が、上記第１制御を行った後、上記親機および上記複数の子機のうちのいずれか一つの機で、音声の検出があった場合には、上記音声経路制御手段が、その音声の検出があった機の外線経路の音声経路のみがつながった状態になるように上記親機および上記複数の子機を制御する第２制御を行う。
【００１５】
上記実施形態によれば、上記第１制御を行った後、親機および複数の子機のうちのいずれか一つの機で、音声の検出があった場合には、その音声の検出があった機の外線経路の音声経路のみがつながった状態になるから、混線を防止することができる。
【００１６】
また、一実施形態では、
上記親機および上記複数の子機の夫々は、音声を認識する音声認識手段を備え、
上記音声経路制御手段が上記第１制御を行った後、上記親機および上記複数の子機のうちの一つの機の音声認識手段が、第１の予め定められた音声の認識をした場合、上記音声経路制御手段がその音声の認識をした機の外線経路の音声経路のみがつながった状態になるように上記親機および上記複数の子機を制御する第３制御を行う。
【００１７】
上記実施形態によれば、外線をかけた電話のかけ手が、より迅速に通話をしたい相手と通話を行うことができる。
【００１８】
また、一実施形態では、
上記音声経路制御手段が、上記第１制御を行った後、上記親機および上記複数の子機のうちの一つの機が応答をした場合、上記音声経路制御手段がその応答をした機の外線経路の音声経路のみがつながった状態になるように上記親機および上記複数の子機を制御する第４制御を行う。
【００１９】
上記実施形態によれば、応答がされなかった機の外線経路の音声経路が切断されるから混線を防止することができる。
【００２０】
また、一実施形態では、
上記親機および複数の子機の夫々は、外線を切断するための外線切断手段を有し、
上記音声経路制御手段が、上記第１制御を行った後、一以上の機で上記外線切断手段が操作されると、上記音声経路制御手段は、その外線切断手段が操作された一以上の機の外線経路の音声経路が切断されるように上記親機および上記複数の子機を制御する第５制御を行う。
【００２１】
上記実施形態によれば、外線電話の受け手の側の機で、対象外の機であることを表明できて、その対象外の機の外線経路の延性経路が切断できるから、外線電話のかけ手が、より迅速に所望の相手と通話をすることができるようになる。
【００２２】
また、一実施形態では、
上記音声経路制御手段が上記第１制御を行った後、上記親機および複数の子機のうちの一以上の機が第２の予め定められた音声を認識すると、上記音声経路制御手段が、上記第２の予め定められた音声を認識した上記一以上の機の外線経路の音声経路が切断されるように上記親機および上記複数の子機を制御する第６制御を行う。
【００２３】
上記実施形態によれば、通話が意図されていない人が存在している室等にある機の外線経路の音声経路を、音声だけで容易に切断できて、混線を迅速かつ簡易に防止することができる。
【００２４】
また、一実施形態では、
上記親機および上記複数の子機の夫々は、上記音声経路制御手段が上記第１制御を行った後の通話を録音可能な録音手段を有している。
【００２５】
上記実施形態によれば、通話内容を録音できる。
【００２６】
また、一実施形態では、
上記親機および上記複数の子機の夫々は、上記録音手段での録音の有無を選択可能な選択手段を有している。
【００２７】
上記実施形態によれば、ユーザーの設定により通路の録音の有無を選択できる。
【発明の効果】
【００２８】
本発明によれば、受信者が、より迅速に通話を行うことが可能な電話装置を実現できる。
【図面の簡単な説明】
【００２９】
【図１】本発明の一実施形態の電話装置の親機の外観を示す図である。
【図２】親機の各構成要素の関係を示すブロック図である。
【図３】上記電話装置の各子機の外観を示す図である。
【図４】各子機の各構成要素の関係を示すブロック図である。
【図５】この電話装置で実現可能な動作を示す動作図である。
【図６】この電話装置で実現可能な音声経路を示す図である。
【図７】この電話装置で実現可能な音声経路を示す図である。
【図８】この電話装置で実現可能な音声経路を示す図である。
【図９】この電話装置で実現可能な動作を示す動作図である。
【図１０】この電話装置で実現可能な動作を示す動作図である。
【図１１】この電話装置で実現可能な音声経路を示す図である。
【図１２】この電話装置で実現可能な音声経路を示す図である。
【図１３】この電話装置で実現可能な動作を示す動作図である。
【図１４】この実施形態の電話装置で採用可能な動作の制御の一例を示すフローチャートである。
【発明を実施するための形態】
【００３０】
以下、本発明を図示の形態により詳細に説明する。
【００３１】
尚、以下に説明する本発明の一実施形態の電話装置は、一つの親機と、二つの子機とを備える。しかしながら、この発明の電話装置は、子機を一つまたは三つ以上有していても良い。
【００３２】
図１は、その電話装置の親機１０の外観を示す図であり、図２は、親機１０の各構成要素の関係を示すブロック図である。
【００３３】
図１に示すように、この親機１０は、ハンドセット１０と、スピーカーホンキー１１と、内線キー１２とを備える。また、図２に示すように、この親機１０は、回路部２０と、スイッチ部２１と、制御部２２と、表示部２３と、操作部２４と、ハンドセット部２５と、スピーカーホン部２６と、第１無線部２７と、第２無線部２８とを備える。上記スイッチ部２１は、トランジスタ等で構成される周知のスイッチング回路からなり、制御部２２からの信号を受けて、各部２０,２５〜２８の間を適宜、接続または切断するようになっている。また、表示部２３は、ＬＣＤやＬＥＤ等で構成され、ユーザーに各種情報を通知するようになっており、操作部２４は、キーやタッチパネル等で構成されて、外部と制御部２２との情報のやり取りを可能にしている。
【００３４】
また、ハンドセット部２５は、ハンドレシーバおよびハンドマイクを用いた情報のやり取りを可能とし、また、スピーカーホン部２６は、スピーカーおよびマイクを用いた情報のやり取りを可能としている。また、この親機１０は、第１無線部２７と、第２無線部２８とを有することで、二つの子機と同時に信号のやり取りを行うことができるようになっている。
【００３５】
ユーザーは、図１のスピーカーホンキー１１を押し下げることにより、スピーカーおよびマイクを用いた通話を行うことができ、また、ハンドセット１０を使用することにより、ハンドセットレシーバおよびハンドセットマイクを用いた通話を行うことができるようになっている。また、ユーザーは、以下に詳述するように、外線との接続中に内線キー１２を押圧することにより回線を外線から内線に変換できるようになっている。
【００３６】
尚、この実施形態では、無線部２７,２８を二つ有しているが、この発明では、親機が、無線部を有していなくても、または、一つのみ有しても、または、無線部を三以上有していても良い。
【００３７】
図３は、上記電話装置の各子機４０の外観を示す図であり、図４は、各子機４０の各構成要素の関係を示すブロック図である。
【００３８】
図３に示すように、各子機４０は、通話キー５０と、内線キー５１と、スピーカーホンキー５２とを備える。また、図４に示すように、各子機４０は、スイッチ部６０と、制御部６１と、表示部６２と、操作部６３と、ハンドセット部６４と、スピーカーホン部６５と、無線部６６とを備える。上記スイッチ部６０は、トランジスタ等で構成される周知のスイッチング回路からなり、制御部６１からの信号を受けて、各部６４〜６６の間を適宜、接続または切断するようになっている。また、表示部６２は、ＬＣＤやＬＥＤ等で構成され、ユーザーに各種情報を通知するようになっており、操作部６３は、キーやタッチパネル等で構成されて、外部と制御部との情報のやり取りを可能にしている。
【００３９】
また、ハンドセット部６４は、ハンドレシーバおよびハンドマイクを用いた情報のやり取りを可能とし、また、スピーカーホン部６５は、スピーカーおよびマイクを用いた情報のやり取りを可能としている。また、各子機４０は、一つの無線部６６を有し、この無線部６６を介して、親機１０と通信ができるようになっており、また、この無線部６６を介して、親機１０を経由して他の子機４０（尚、この実施形態では、子機が二つある場合を説明するが、以下、これらを、子機１、子機２として区別することにする）と通信ができるようになっている。
【００４０】
ユーザーは、図３のスピーカーホンキー５２を押し下げることにより、スピーカーおよびマイクを用いた通話を行うことができ、また、図３の通話キー５０を押し下げることにより、通話ができるようになっている。また、以下で詳述するように、ユーザーは、外線との接続中に内線キー５１を押圧することにより回線を外線から内線に変換できるようになっている。上記親機１０の制御部２２と、一方の子機1の制御部６１と、他方の子機２の制御部６２とは、音声経路制御手段を構成している。また、親機１０のハンドセットマイクと、マイクとは、音声検出手段を構成し、また、各子機４０のハンドセットマイクと、マイクとも、音声検出手段を構成している。
【００４１】
以下、この実施形態の電話装置で可能な動作について説明する。
【００４２】
図５は、特定条件の外線電話がかかってきた場合に、親機１０でハンドセットがあげられるか、または、親機１０でスピーカーホンキーが押圧されるか、または、親機１０で音声検出がされ、かつ、呼出音がない場合の動作の一例を示す動作図である。
【００４３】
尚、図５以下の動作図では、子機が二つの場合の例について説明するが、上記例は、親機１０での無線部の数を三以上にすることにより、子機が三つ以上ある場合にも容易に適用できる。
【００４４】
図５に示すように、この場合においては、親機１０で特定条件の外線電話（例えば、ユーザーが予め登録した電話番号の外線電話）からの着信を検出すると、親機１０の制御部２２から子機１と子機２とに制御信号が発信されて、音声経路制御手段が、第１制御を行って、図６に示す音声経路１を構築する。このようにして、親機１０および二つの子機１,２が、それら親機１０および二つの子機１,２の夫々がスピーカーホンを利用した外線通話が可能な音声経路１でつながるようになっている。
【００４５】
詳しくは、図６に表す音声経路１に示すように、外線が、回転エコー除去部と、音響エコー除去部と、Ｄ／ＡおよびＡ／Ｄ変換とをかいして親機１０のスピーカーおよびマイクとつながるようになっている。また、同時に、外線が、回転エコー除去部にミキサーと、エンコーダおよびデコーダとを介して、ＲＦモジュール１につながり、そのＲＦモジュール１と、子機１のＲＦモジュールとが無線でつながることにより、外線と、子機１のスピーカーおよびマイクとがつながるようになっている。また、同時に、外線が、回転エコー除去部にミキサーと、エンコーダおよびデコーダとを介して、ＲＦモジュール２につながり、そのＲＦモジュール２と、子機２のＲＦモジュールとが無線でつながることにより、外線と、子機２のスピーカーおよびマイクとがつながるようになっている。
【００４６】
その後、親機１０でハンドセットがあげられれば、その情報が親機１０から子機１と子機２とに伝達されて、音声経路制御手段が、第２制御を行って、図７に示す音声経路３を構築し、外線が親機１０のハンドセットレシーバおよびハンドセットマイクとつながる一方、外線とＲＦモジュール１とが切断されると共に、外線とＲＦモジュール２とが切断される。このようにして、外線と子機１との外線経路の音声経路が切断されると共に、外線と子機２との外線経路の音声経路が切断される。
【００４７】
また、一方、図６に表す音声経路１が構築されている状態で、親機１０でスピーカーホンキーが押し下げられると、その情報が親機１０から子機１と子機２とに伝達されて、音声経路制御手段が、図８に示す音声経路２を構築して、外線が母機のスピーカーおよびマイクとつながる一方、外線とＲＦモジュール１とが切断されると共に、外線とＲＦモジュール２とが切断される。このようにして、外線と子機１との外線経路の音声経路が切断されると共に、外線と子機２との外線経路の音声経路が切断される。
【００４８】
また、一方、図６に表す音声経路１が構築されている状態で、親機１０で音声検出がされると、その情報が親機１０から子機１と子機２とに伝達されて、音声経路制御手段が、第２制御を行って、図８に示す音声経路２を構築し、外線が母機のスピーカーおよびマイクとつながる一方、外線とＲＦモジュール１とが切断されると共に、外線とＲＦモジュール２とが切断される。このようにして、外線と子機１との外線経路の音声経路が切断されると共に、外線と子機２との外線経路の音声経路が切断される。
【００４９】
図９は、図５に示す動作との比較において、ユーザーが設定可能な回数、親機１０、子機１および子機２で呼出音が鳴る動作が異なる動作の動作図である。
【００５０】
図９に示すように、この動作では、親機１０で特定条件からの着信を検出すると、ユーザーが設定可能な回数、親機１０、子機１および子機２で呼出音が鳴った後に、音声経路制御手段によって音声経路１が構築されるようになっている点が、図５に示す動作を異なっている。
【００５１】
図１０は、特定条件の外線電話がかかってきた場合に、子機１で通話キーが押されるか、または、子機１でスピーカーホンキーが押圧されるか、または、子機１で音声検出がされ、かつ、呼出音がない場合の動作の一例を示す動作図である。
【００５２】
図１０に示すように、この場合においては、親機１０で特定条件からの着信を検出すると、親機１０１０の制御部２２から子機１と子機２とに制御信号が発信されて、音声経路制御手段が、図６に示す音声経路１を構築して、外部回線から親機１０、子機１、子機２の音声経路をつなぐようになっている。
【００５３】
続いて、この動作では、子機１で通話キーが押圧され、子機１が応答し、その情報が子機１から親機１０と子機２とに伝達されるようになっている。そして、子機１から親機１０と子機２とに制御信号が発信されて、音声経路制御手段が、第４制御を行って、図１１に示す音声経路５を構築している。
【００５４】
そして、図１１に示すように、外線と、子機１のハンドセットレシーバおよびハンドセットマイクとが、親機１０の回転エコー除去部、親機１０のミキサー、親機１０のＲＦモジュール１、子機１のＲＦモジュール、子機１のＲＦモジュールおよび子機１のハンドセットモジュール部を介してつながるようになっている。
【００５５】
また、同時に、親機１０の回転エコー除去部と、親機１０の音響エコー除去部との音声経路が切断されると共に、親機１０の回転エコー除去部と、親機１０のＲＦモジュール２との音声経路が切断されることにより、外線と、親機１０との音声経路が切断されると共に、外線と、子機２との音声経路が切断されるようになっている。
【００５６】
また、一方、図１０に示すように、図６に示す音声経路１を構築して、外部回線から親機１０、子機１、子機２の音声経路をつないでいる状態で、子機１でスピーカーホンキーが押圧された場合には、その情報が子機１から親機１０と子機２とに伝達されて、音声経路制御手段によって図１２に示す音声経路１２が構築されるようになっている。
【００５７】
そして、図１２に示すように、外線と、子機１のスピーカーおよびマイクとが、親機１０の回転エコー除去部、親機１０のミキサー、親機１０のＲＦモジュール１、子機１のＲＦモジュール、子機１のＲＦモジュールおよび子機１の音声エコー除去部を介してつながるようになっている。
【００５８】
また、同時に、親機１０の回転エコー除去部と、親機１０の音響エコー除去部との音声経路が切断されると共に、親機１０の回転エコー除去部と、親機１０のＲＦモジュール２との音声経路が切断されることにより、外線と、親機１０との音声経路が切断されると共に、外線と、子機２との音声経路が切断されるようになっている。
【００５９】
また、一方、図１０に示すように、図６に示す音声経路１を構築して、外部回線から親機１０、子機１、子機２の音声経路をつないでいる状態で、子機１で音声検出がされた場合には、その情報が子機１から親機１０と子機２とに伝達されて、音声経路制御手段によって図１２に示す音声経路１２が構築されるようになっている。
【００６０】
そして、図１２に示すように、外線と、子機１のスピーカーおよびマイクとが、親機１０の回転エコー除去部、親機１０のミキサー、親機１０のＲＦモジュール１、子機１のＲＦモジュール、子機１のＲＦモジュールおよび子機１の音声エコー除去部を介してつながるようになっている。
【００６１】
また、同時に、親機１０の回転エコー除去部と、親機１０の音響エコー除去部との音声経路が切断されると共に、親機１０の回転エコー除去部と、親機１０のＲＦモジュール２との音声経路が切断されることにより、外線と、親機１０との音声経路が切断されると共に、外線と、子機２との音声経路が切断されるようになっている。
【００６２】
図１３は、図１０に示す動作との比較において、ユーザーが設定可能な回数、親機１０、子機１および子機２で呼出音が鳴る動作が異なる動作の動作図である。
【００６３】
図１３に示すように、この動作では、親機１０で特定条件からの着信を検出すると、ユーザーが設定可能な回数、親機１０、子機１および子機２で呼出音が鳴った後に、音声経路制御手段によって音声経路１が構築されるようになっている点が、図１０に示す動作を異なっている。
【００６４】
図１４は、この実施形態の電話装置で採用可能な動作の制御の一例を示すフローチャートである。
【００６５】
図１４を参照して、動作がスタートすると、先ず、ステップＳ１で、親機で外線の着信があるか否かが判断される。そして、ステップＳ１で、親機で外線の着信があると判断されるとステップＳ２に移行する一方、ステップＳ１で、親機で外線の着信がないと判断されると、再度ステップ１の制御が繰り返される。
【００６６】
続いて、ステップＳ２では、呼出音の鳴動が設定されているか否かを判断する。そして、呼出音の鳴動が設定されていない場合には、ステップＳ５に移行する一方、呼出音の鳴動が設定されている場合には、ステップＳ３に移行する。
【００６７】
ステップＳ３では、音声経路制御手段にあるカウンタで、呼出音が一回鳴る度、カウンタの数を一つ増やす制御を行い、次のステップＳ４に移行する。ステップＳ４では、カウンタの数が事前に設定した数であるか否かを判断する。そして、カウンタの数が事前に設定した数でない場合、ステップＳ２を再度行う一方、カウンタの数が事前に設定した数である場合、ステップＳ５に移行する。
【００６８】
次のステップＳ５では、音声経路制御手段が、親機、子機の音声経路をつなぐ制御を行った後、ステップＳ６に移行する。尚、ここで、この制御では、外線（回線）に、親機および全ての子機がつながるように、音声経路をつないでも良く、または、その音声経路に加えて全ての親子間および全ての子機間の音声経路をつないでも良い。
【００６９】
続いて、ステップＳ６では、外線電話に対して通話が要求されているか否かが判断される。そして、外線電話に対して通話が要求されていない場合には、再度ステップＳ６が行われる一方、外線電話に対して通話が要求されている場合には、その要求されている外線電話の音声経路に切り替えたのち、制御がエンドになるようになっている。
【００７０】
尚、上記実施形態では、親機１０および子機４０の両方ともが、呼び出しを表す信号が入力された機以外の他の親機１０および子機４０に呼出音を鳴動させる例も説明されたが、この場合、呼出音の鳴動回数も設定できる鳴動選択手段は、親機、子機のボタン等で構成できる。上述のように、この発明では、親機および複数の子機の夫々が、呼び出しを表す信号が入力された機以外の他の親機および子機に呼出音を鳴動させるか否かを選択できると共に、呼出音を鳴動させる場合には、呼出音の鳴動回数も設定できる鳴動選択手段（親機、子機のボタン等で構成）を備え、かつ、その鳴動選択手段を介して呼出音の鳴動回数が設定された場合、上記鳴動回数回の呼出音が鳴動した後、音声経路制御手段が、第１制御を行うようにしても良いのである。
【００７１】
また、上記実施形態では、音声経路制御手段が、第１制御で、予め定められた条件の外線電話からの信号を受けると、親機１０および複数の子機４０が、それら親機１０および複数の子機４０の夫々がスピーカーホンを利用した外線通話が可能な音声経路でつながるように親機１０および複数の子機４０を制御した。しかしながら、この発明では、音声経路制御手段が、第１制御で、予め定められた条件の外線電話からの信号を受けると、親機および複数の子機が、それら親機および複数の子機の夫々がスピーカーホンを利用した外線通話が可能な音声経路でつながるように親機および複数の子機を制御すると共に、親機および全ての子機で構築可能な全ての二つの対の間のスピーカーホンの音声経路を構築するように、親機および複数の子機を制御するようにしても良い。
【００７２】
また、上記実施形態では、親機１０および子機４０が、音声認識手段を有していなかったが、この発明では、親機および子機が、音声認識手段を有していても良く、事前に第１の定められた音声（例えば、「私はここにいます。」（この文言に限らない））等を機に入力できるようになっていても良い。そして、受け手が、どこかの機で、呼び出しに、例えば、「私はここにいます。」と発言することで、音声経路制御手段が、その音声を認識して、第３制御を行って、音声経路制御手段で、その「私はここにいます。」という文言が検出された機の外線経路の音声経路のみがつながった状態になるように親機および複数の子機を制御するようにしても良い。
【００７３】
また、上記実施形態では、親機１０および子機４０が、音声認識手段を有していなかったが、この発明では、親機および子機が、音声認識手段を有していても良く、事前に第２の定められた音声（例えば、「無関係です。」（この文言に限らない））等を機に入力できるようになっていても良い。そして、受け手が、どこかの一以上の機で、呼び出しに、例えば、「無関係です。」と発言することで、音声経路制御手段が、その音声を認識して、第６制御を行って、音声経路制御手段で、その「無関係です。」という文言が認識された一以上の機の外線経路の音声経路を切断するようにしても良い。
【００７４】
このようにすると、第１制御の後、電話をかけた人から、電話をしたい相手・内容が伝えられても、その相手・内容に答えれる人がいないときに予め設定された音声を認識すると、その親機、もしくは、子機の音声経路が、切断されるようにすることができる。
【００７５】
また、上記実施形態では、親機１０および子機４０が、切キーや、停止キーを有していなかったが、この発明では、親機および複数の子機の夫々が、切キーや停止キーで構成される、外線を切断するための外線切断手段を有しても良く、親機および複数の子機のうちの一以上の機で上記外線切断手段が選択されると、上記音声経路制御手段が、その外線切断手段が操作された一以上の機の外線経路の音声経路が切断されるように親機および複数の子機を制御する第５制御を行うようになっていても良い。
【００７６】
また、本発明では、親機および複数の子機の夫々が、音声経路制御手段が第１制御を行った後の通話を録音可能なボタン等からなる録音手段を有していても良く、また、親機および複数の子機の夫々が、上記録音手段での録音の有無を選択可能なボタン等からなる選択手段を有していても良い。そして、この場合、通話内容を録音でき、また、ユーザーの設定により通路の録音の有無を選択できる。
【００７７】
また、上記明細書の説明で行った、全ての実施形態および全ての変形例で構成される内容から二以上の発明特定事項を組み合わせて、本発明の新たな実施形態の発明を構成しても良いことは、勿論である。
【００７８】
尚、本発明の一実施形態によれば、第１制御により、親機１０が外線を認識すると、親機１０および全ての子機１,２が、外線経路の音声経路でつながるから、電話をかけた人から、直接、親機と子機全てに話しかけることができ、誰と話をしたいか伝えることが出来る。また、電話をかけた人は、話したい相手を、簡単に呼出でき、簡単に通話を行うことができる。
【００７９】
また、従来、住宅や会社等にカメラや赤外線センサ等の人感センサを設置し、夜間や留守中等に異常が発生した場合、家主に通知したりする監視装置（特開2006-277639）がある。しかしながら、外出中に通知を受けて、警察や警備会社に連絡していては対応が遅くなる。ここで、本発明の一実施形態によれば、事前に家主の携帯番号を本電話装置に登録しておき、家主が自宅に電話をかけると、親機、子機全てがスピーカーホンを利用した外線通話が可能な音声経路に直ぐにつながるようにする。このようにすれば、不審者にスピーカーホンを用いた警告を行うことができるから、不審者を撃退/威嚇できる、また、その時の音声情報を録音することで、もし犯罪が発生した時でも、その調査に利用できる。
【００８０】
また、本発明の一実施形態によれば、遠距離のおじいちゃん、おばあちゃんの安否を簡単に確認できる。また、本発明の一実施形態によれば、電話を受けた人は、電話をかけた人が話をしたい相手でない人ときは、呼出があっても応答する必要がないようにでき、または、発声するだけで、その者の部屋内の親機または子機の電話回線を切断することもできる。
【符号の説明】
【００８１】
１０  親機
１１  親機の内線キー
１２  親機のスピーカーホンキー
１３  親機のハンドセット
２０  親機の制御部
４０  子機
５０  子機の通話キー
５１  子機の内線キー
５２  子機のスピーカーホンキー
６１  子機の制御部
【図１】
2014064118.tif 000003
【図２】
2014064118.tif 000004
【図３】
2014064118.tif 000005
【図４】
2014064118.tif 000006
【図５】
2014064118.tif 000007
【図６】
2014064118.tif 000008
【図７】
2014064118.tif 000009
【図８】
2014064118.tif 000010
【図９】
2014064118.tif 000011
【図１０】
2014064118.tif 000012
【図１１】
2014064118.tif 000013
【図１２】
2014064118.tif 000014
【図１３】
2014064118.tif 000015
【図１４】
2014064118.tif 000016